(57)【要約】【課題】釣り糸の撚りを解消でき、根掛かりが生じにくい錘を提供する。【解決手段】上部部材１には、中心軸が通るようにフック付きヨリモドシ６を収納可能な収納空間５が内部に形成されており、収納空間５の下部に雌ねじ部５ａが形成されている。収納空間５の上部には、釣り糸８を挿通するための通し孔１ａの下端が開口されている。下部部材２の頭部４の上部にフック付きヨリモドシ６の取付孔７ａが設けられている。釣り糸８を通し孔１ａを通してフック付きヨリモドシ６に繋ぎ、フック６ｃを取付孔７ａに取り付け（Ｂ）、上部部材１と下部部材２とを螺合して結合する（Ａ）。フック付きヨリモドシ６が錘の内部に収納されるから、それらによる根掛かりが生じにくい。【選択図】図１
2012210198.tif 000002
【特許請求の範囲】
【請求項１】
上部部材と下部部材とにより構成され、両部材が着脱可能に結合されており、
前記上部部材には、中心軸が通るように撚り戻し部材を収納可能な収納空間が内部に形成されており、
前記収納空間の下部は、前記下部部材の頭部が結合可能な開口となっており、前記収納空間の上部には、前記上部部材の頭部の先端部から前記収納空間まで釣り糸を挿通するための通し孔の下端が開口されており、
前記下部部材の頭部の上部に前記撚り戻し部材の取付部が設けられていることを特徴とする釣り用錘。
【請求項２】
前記取付部に、フック付きの撚り戻し部材が取付可能な取付孔が形成されていることを特徴とする請求項１に記載の釣り用錘。
【請求項３】
前記取付部に撚り戻し部材が取り付けられていることを特徴とする請求項１に記載の釣り用錘。
【請求項４】
前記上部部材の頭部に上方に向けて外径が減少する形状で、中心軸に釣り糸が挿通できる中通し孔を有する樹脂製のキャップ部材が取り付けられていることを特徴とする請求項１ないし３のいずれか１項に記載の釣り用錘。
【発明の詳細な説明】
【技術分野】
【０００１】
本発明は、撚り戻し部材を収納し、根掛かりが生じにくい釣り用錘に関するものである。
【背景技術】
【０００２】
従来、魚釣りに用いられる錘としては、紡錘形状，円錐形状，球形状等に鉛で鋳造され、頂部に、釣り糸に繋ぐための冠が設けられたものが用いられている。図６は、その一例で、ナス型と呼ばれるものである。錘１１の頭部に金属線が曲げられた冠１２が鋳込まれて、取り付けられている。
【０００３】
この錘には、道糸や幹糸と呼ばれる釣り糸が繋がれる。例えば、船釣りや磯釣りの典型的な仕掛けである胴つき仕掛けは、幹糸の一番下に仕掛けを安定させるための錘が取り付けられる。釣り糸と錘との接続には、釣り糸に生じる撚りを解消させるため、ヨリモドシ，サルカン，スイベルなどと呼ばれる撚り戻し部材が介在されるのが普通である。釣りに際しては、錘は海底，川底，湖底等、仕掛けが降ろされる水底に位置する。水底には、石や岩が存在するから、仕掛けが動かされると、錘が石や岩に絡んで、いわゆる根掛かりを生じることがある。錘の形状を根掛かりし難い形状に形成しても、上述したように、撚り戻し部材を用いている仕掛けでは、錘１１の上部に取り付けられる撚り戻し部材や冠１２が石や岩の隙間に挟まってしまうという問題がある。
【０００４】
特許文献１に記載されたワンタッチパイプ式胴付き棒錘は、錘が根掛かりして抜けないときは、仕掛けの先端が通されたパイプから抜けるようにして、仕掛けを確実に回収できるものであるが、錘の損失は避けられず、撚り戻し部材を用いた場合には、撚り戻し部材の部分で根掛かりをすると、仕掛けを失うことは避けられない。
【先行技術文献】
【特許文献】
【０００５】
【特許文献１】特開平１１−３２６３９
【発明の概要】
【発明が解決しようとする課題】
【０００６】
本発明は、撚り戻し部材を錘の内部に取り付けることができるようにして、釣り糸の撚りを解消でき、根掛かりが生じにくい錘を提供するものである。
【課題を解決するための手段】
【０００７】
本発明は、釣り用錘において、上部部材と下部部材とにより構成され、両部材が着脱可能に結合されており、前記上部部材には、中心軸が通るように撚り戻し部材を収納可能な収納空間が内部に形成されており、前記収納空間の下部は、前記下部部材の頭部が結合可能な開口となっており、前記収納空間の上部には、前記上部部材の頭部の先端部から前記収納空間まで釣り糸を挿通するための通し孔の下端が開口されており、前記下部部材の頭部の上部に前記撚り戻し部材の取付部が設けられていることを特徴とするものである。
【発明の効果】
【０００８】
本発明は、根掛かり原因となる錘の冠を不要とし、さらに、根掛かり原因となる撚り戻し部材を錘本体内部に収納することができ、根掛かりをし難い錘を提供できるという効果がある。
【図面の簡単な説明】
【０００９】
【図１】本発明の釣り用錘の第１の実施例を説明するための断面図である。
【図２】図１の釣り用錘の使用の一例を示すものである。
【図３】本発明の下部部材の頭部近傍における撚り戻し部材の取付部の種々の実施形態を説明するための斜視図である。
【図４】本発明の釣り用錘の第２の実施例を説明するための断面図である。
【図５】本発明の釣り用錘の第３の実施例を説明するための断面図である。
【図６】従来から用いられている錘の一例の側面図である。
【発明を実施するための形態】
【００１０】
本発明は、錘の冠を排除し、かつ、撚り戻し部材を錘の内部に収納できる構造であるから、根掛かりの可能性を低くして、かつ、錘に繋がれる釣り糸の撚りを解消できる錘を簡単な構造で実現した。
【００１１】
図１は、本発明の釣り用錘の第１の実施例を説明するための断面図であり、図１（Ａ）は、上部部材と下部部材とを結合した状態、図１（Ｂ）は、上部部材と下部部材と離脱させた状態を示す。なお、撚り戻し部材は側面図を図示した。図中、１は上部部材、１ａは通し孔、２は下部部材、３は上部部材の頭部、４は下部部材の頭部、４ａは雄ねじ部、５は収納空間、５ａは雌ねじ部、６は撚り戻し部材、６ａはラインアイ、６ｂは取付環、６ｃはフック、７は取付部、７ａは取付孔、８は釣り糸である。
【００１２】
本発明の錘は、上部部材１と下部部材２との２つに上下に分割された形状であり、この例では、上部部材、下部部材ともにステンレス鋼で形成されている。上部部材と下部部材とが結合された全体形状は、根掛かりしにくい形状としたものであり、上部部材１の頭部３を先細りとし、徐々に直径が大きくなる形状とし、胴部は円筒状となっているが、錘のより安定した飛行姿勢や沈下速度を速めるために、後部に重さの重心を持たせたナス型や水滴形にしてもよく、断面形状も円形に限らず、楕円形状や六角形状など、適宜の形状でよい。錘の根掛かりの大きな原因は、先端部の冠や、それに取り付けられる撚り戻し部材であるから、冠を排除し、撚り戻し部材を錘内部に収納させることで、先端部の根掛かりの解消につながる。
【００１３】
この実施例では、上部部材１を、ステンレス鋼としたが、上部部材１の材料としては、金属材料に限られるものではなく、例えば、ポリエチレン，ＡＢＳ樹脂などの硬質の合成樹脂や、木材もよい。下部部材２も、ステンレス鋼に限られるものではなく、鉛，鉄やタングステン鋼等の比重の大きい材料を用いることができる。上部部材１と下部部材２との結合構造は、上部部材１の収納空間４の内面に雌ねじ部１ａ形成し、下部部材２の上部に雄ねじ部２ａを形成した螺合構造とした。上部部材１と下部部材２との間に、弾力性の有るゴム状ワッシャーを挟むことで、錘が岩にぶつかって発生する振動に対しての緩み防止にも効果がある。上部部材１に対して、下部部材２が着脱可能であることから、下部部材２として、様々な重量のものを用意しておけば、その交換によって、錘の重量を容易にが変更できるという効果がある。上部部材１と下部部材２との結合構造は、螺合構造に限らず、嵌合構造など、着脱が可能な適宜の構造を採用することができる。錘の製造にあたって、上部部材１を共通部品とし、比重の大きい材料で形成された下部部材２については、重量の異なる様々な部品として、両者の組合せを換えるだけで、種々の号数の錘を製造することもできる。
【００１４】
上部部材１には、中心軸が通るように収納空間５が軸方向に長く形成されている。収納空間５の下部は、下部部材２の頭部４が結合可能な開口となっており、この実施例では、内面が雌ねじ部５ａが形成されている。収納空間４の上部には、上部部材１の頭部３の先端部から中心軸を通るように形成された通し孔１ａの下端が開口している。上部部材１の側面から収納空間４に対して、空気抜けのための細孔を形成しておいてもよい。
【００１５】
下部部材２の頭部４は、胴部よりも径が小さくなった凸部として設けられ、雄ねじ部４ａが形成されており、上部部材１の収納空間５の下部の内面の雌ねじ部５ａに螺合するようになっている。頭部４の上部には、撚り戻し部材６を取り付けるための取付部７が設けられている。この実施例では、図４（Ａ）に示すように、取付部７は、頭部４の上部の一部を切り落とすようにして形成され、取付孔７ａが開けられている。
なお、頭部４を一体構成とせず別部材で作製して下部部材に取り付けるようにしてもよい。
【００１６】
上部部材１に対して、下部部材２をねじ込んで結合した状態においては、上部部材１の下面の周の形状と下部部材２の胴部の周の形状が一致するようにして、結合された状態における上部部材１と下部部材２との境界において、段差が生じないようにするのが好適である。しかし、根掛かりが生じにくいことを考えれば、境界における両者の周の形状が一致しなくてもよく、上部部材１と下部部材２とが結合された状態における境界において、上部部材１の周よりも下部部材２の周が前部または一部において凹んでいてもよい。この実施例では、上部部材１と下部部材２とは、中心軸に直角な平面における断面形状は円形であるから、上部部材１と下部部材２とが結合された状態における境界においては、下部部材２の直径は、上部部材１の直径と等しいか、小さいのがよい。
【００１７】
撚り戻し部材６は、ヨリモドシ，サルカン，スイベルなどと呼ばれているものを用いることができるが、この実施例ではスナップ付きのヨリモドシを用いた。したがって、錘には、撚り戻し部材を予め取り付けておく必要はない。図１（Ａ）は、錘の使用状態を示している。上部部材１と下部部材２と結合され、撚り戻し部材６は、そのスナップが下部部材２の頭部７の取付孔７ａに取り付けられている。釣り糸８は、ラインアイ６ａに繋がれ、回動可能であり、その回動によって繋がれた釣り糸８の撚りを戻すことができる。
【００１８】
釣り糸８の結び方について説明する。上部部材１と下部部材２とを離脱させて、上部部材１の頭部３側から通し孔１ａに釣り糸を通し、その先端を撚り戻し部６のラインアイ６ａに結びつける。この状態を図１（Ｂ）に示す。ついで、撚り戻し部材６のスナップ６ｃを下部部材２の頭部４の上部に形成された取付部７の取付孔７ａに取り付け、上部部材１の収納空間の下部の開口を下部部材２の頭部４に被せるようにして、雌ねじ部５ａと雄ねじ部４ａとをねじ込んで、上部部材１と下部部材２とを結合させる。結合させた状態を図１（Ａ）に示す。
【００１９】
上部部材１と下部部材２とが結合された錘は、その結合、この実施例では、螺合を外すことによって離脱させることができる。フック６ｃを下部部材２から外し、異なる重量の下部部材と交換してフック６ｃに取り付け、上部部材１と結合させれば、容易に錘の重量を変更することができる。
【００２０】
図２は、図１の釣り用錘の使用状態の一例を示すものである。図１と同様の部分には同じ符号を付して説明を省略する。８ａは幹糸、９はハリスである。この図は、胴つき仕掛けに図１の釣り用錘を用いた場合の錘の近傍部分を図示したものである。幹糸８ａの下端が上部部材１の収納空間内に取り付けられた撚り戻し部材のラインアイに接続されている。上部部材１の頭部近傍の幹糸部分には、撚り戻し部材は繋がれていない。したがって、撚り戻し部材による根掛かりは生じるべくもない。収納空間内に取り付けられた撚り戻し部材のラインアイは通し孔の下端に接触することがないように収納空間が軸方向に長く形成されていることによって、釣り糸に張力が加えられ場合に、撚り戻し部材のラインアイが通し孔の下端に接触することはなく、釣り糸の張力を少し緩めることによって、撚り戻し部材によって撚りを戻すことができる。
【００２１】
図３は、下部部材の頭部近傍における撚り戻し部材の取付部の種々の実施形態を説明するための斜視図である。図中、図１と同様の部分には同じ符号を付して説明を省略する。
【００２２】
図３（Ａ）の実施形態は、図１で説明した第１の実施例で説明したものである。頭部４は、下部部材２から一体的に削り出されて形成され、雄ねじ部を形成した後、上部の一部を削り落として、取付部７を形成し、取付孔７ａを開けて製造したものである。なお、上記製造方法は、頭部の構成を説明するための一例であり、本発明における下部部材２の製造方法を限定するものでない。この下部部材２では、取付部７にも雄ねじ部が形成されている。
【００２３】
図３（Ｂ）の実施形態は、図３（Ａ）で説明した取付部７の雄ねじを削り落としたものである。この実施形態においても、取付部７，頭部４は、下部部材２と同一部材として一体的に設けられている。
【００２４】
図３（Ｃ）の実施形態は、取付部７を頭部４とは別部材として構成したものである。取付部７は、下部を円柱状にして、上部を直方体形状に削り出したものである。頭部４の上面に円形の孔を開けて、取付部７の下部の円柱状の部分を押し込んだものである。螺合構造としてもよく、あるいは、蝋付けや接着剤を用いてもよい。要は、別部材として形成した取付部７が頭部４の上部に固定されればよい。この実施形態では、取付部７を頭部４とが別部材として構成されるから、取付部７の材料を頭部４とは異なる材料で構成することもできる。図６で説明したような金属線で作製した冠を用いることもできる。
【００２５】
図３（Ｄ）の実施形態は、頭部４の上面に撚り戻し部材６を固定したものである。したがって、この実施形態では、頭部４の上面が取付部７となっている。この実施形態は、撚り戻し部材７が下部部材２側に取り付けられているから、第１の実施例には、適用されない。
【００２６】
図４は、本発明の釣り用錘の第２の実施例を説明するための断面図であり、図４（Ａ）は、上部部材と下部部材とを結合した状態、図４（Ｂ）は、上部部材と下部部材と離脱させた状態を示す。なお、撚り戻し部材は側面図を図示した。図中、図１，図２と同様の部分には同じ符号を付して説明を省略する。７ｂは取付リングである。
【００２７】
この実施例における上部部材１と下部部材２とは第１の実施例と同様であるが、この実施例では、撚り戻し部材６を下部部材２の頭部４の取付部７に予め取り付けておくものである。取り付けには、取付リング７ｂを用いた。取付リング７ｂは、弾性を有する金属線をリング状に複数回、巻くように束ねたものであり、キーホルダーの取付リングなどに用いられているものと同様の構造のものである。もちろん、取付リングによるものに限られるものではなく、取付部７に撚り戻し部材の一端側が取り付けられればよい。
【００２８】
釣り糸の結び方について説明する。図４（Ｂ）に示すように、上部部材１と下部部材２とを離脱させて、上部部材１の頭部３側から通し孔１ａに釣り糸を通し、その先端を撚り戻し部６のラインアイ６ａに結びつける（釣り糸および結びつけた状態は図示していない。）。ついで、上部部材１の収納空間の下部の開口を下部部材２の頭部４に被せるようにして、雌ねじ部５ａと雄ねじ部４ａとをねじ込んで、上部部材１と下部部材２とを結合させる。結合させた状態を図４（Ａ）に示す（釣り糸は図示していない）。
【００２９】
上部部材１と下部部材２とが結合された錘は、その結合、この実施例では、螺合を外すことによって離脱させることができる。図示しない釣り糸をラインアイ６ａのところで切断し、異なる重量の下部部材と交換して釣り糸をラインアイフック６ａに取り付け、上部部材１と結合させれば、容易に錘の重量を変更することができる。
【００３０】
図５は、本発明の釣り用錘の第３の実施例を説明するための断面図であるが、下部部材の図示は省略した。図５（Ａ）はキャップ部材を取り付けた状態を示し、図５（Ｂ）は分解図である。図中、図１〜図３と同様の部分には同じ符号を付して説明を省略する。１ｂはキャップ部材取付孔、１０はキャップ部材である。この実施例のキャップ部材１０を取り付けた上部部材１は、上述した各実施例の下部部材に適用できるものであり、上部部材１の頭部に取り付けられるものでる。キャップ部材１０は、ポリエチレン，ＡＢＳ樹脂，ナイロンなどの合成樹脂等で形成されたものであり、上方に向けて外径が減少する形状で、中心軸に釣り糸が挿通できる中通し孔が設けらている。基部が上部部材１の上部に設けられたキャップ部材取付孔１ｂに嵌合して上部部材１に取り付けられている。キャップ部材１０を取り付けることにより、釣り用錘を水底で移動させる場合に、障害物に引っかかる確率を小さくでき、根掛かりをより生じ難くできる。なお、このキャップ部材１０は、上述したように、本発明の釣り用錘に適用されるものである。
【符号の説明】
【００３１】
１…上部部材、１ａ…通し孔、１ｂ…キャップ部材取付孔、２…下部部材、３…上部部材の頭部、４…下部部材の頭部、４ａ…雄ねじ部、５…収納空間、５ａ…雌ねじ部、６…撚り戻し部材、６ａ…ラインアイ、６ｂ…取付環、６ｃ…フック、７…取付部、７ａ…取付孔、７ｂ…取付リング、８…釣り糸、８ａ…幹糸、９…ハリス、１０…キャップ部材。
【図１】
2012210198.tif 000003
【図２】
2012210198.tif 000004
【図３】
2012210198.tif 000005
【図４】
2012210198.tif 000006
【図５】
2012210198.tif 000007
【図６】
2012210198.tif 000008